(57)【要約】【課題】処理すべき媒体の枚数に応じて媒体の処理速度を変化させることによって、媒体の枚数が多い場合には処理時間を短縮することができ、媒体の枚数が少ない場合にはジャムの発生を抑制することによって、短い時間で媒体を処理することができるとともに手間のかからないようにする。【解決手段】処理すべき媒体の枚数を検出する媒体枚数検出手段と、該媒体枚数検出手段が検出した媒体の枚数に基づいて媒体処理速度目標値を算出する媒体処理速度算出手段と、該媒体処理速度算出手段が算出した媒体処理速度目標値に基づいて媒体処理速度を制御する速度可変処理速度制御手段とを有し、前記媒体の枚数が多い場合には媒体処理速度を高くし、前記媒体の枚数が少ない場合には媒体処理速度を低くする。【選択図】図１
2005215882.tif 000002
【特許請求の範囲】
【請求項１】
（ａ）処理すべき媒体の枚数を検出する媒体枚数検出手段と、
（ｂ）該媒体枚数検出手段が検出した媒体の枚数に基づいて媒体処理速度目標値を算出する媒体処理速度算出手段と、
（ｃ）該媒体処理速度算出手段が算出した媒体処理速度目標値に基づいて媒体処理速度を制御する速度可変処理速度制御手段とを有し、
（ｄ）前記媒体の枚数が多い場合には媒体処理速度を高くし、前記媒体の枚数が少ない場合には媒体処理速度を低くすることを特徴とする媒体処理装置。
【請求項２】
前記処理すべき媒体は投入された紙幣であり、前記媒体処理速度は前記紙幣の搬送速度である請求項１に記載の媒体処理装置。
【請求項３】
前記媒体枚数検出手段は投入された紙幣束の厚さを検出することによって、紙幣の枚数を検出する請求項２に記載の媒体処理装置。
【請求項４】
前記投入された紙幣の枚数が多い場合には紙幣の搬送速度を高くして全体の処理時間を短くし、前記投入された紙幣の枚数が少ない場合には紙幣の搬送速度を低くしてジャムの発生を抑制する請求項２又は３に記載の媒体処理装置。
【請求項５】
金融取引を行う自動取引装置に取り付けられ、紙幣の処理を行う請求項１〜４のいずれか１項に記載の媒体処理装置。
【発明の詳細な説明】
【技術分野】
【０００１】
本発明は、媒体処理装置に関するものである。
【背景技術】
【０００２】
従来、銀行、郵便局、信用金庫、消費者金融会社等の金融機関の支店等には、顧客が自分で操作して、入金、出金、振り込み、残高照会等の金融取引を行うためのＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が配設され、また、ハイカウンタ、ローカウンタ等の窓口には、テラー（Ｔｅｌｌｅｒ）等の金融機関の担当者が操作する窓口入出金機が配設されている。そして、前記自動取引装置及び窓口入出金機には、媒体としての紙幣を処理するための媒体処理装置としての紙幣処理装置が取り付けられている。該紙幣処理装置は、紙幣を取り扱う紙幣入出金部を有し、入金等の金融取引においては顧客やテラーが入金した現金を受け取りカウントしてスタッカに保管し、出金等の金融取引においては、保管している現金の中から所定金額の現金を払い出すようになっている（例えば、特許文献１参照。）。
【特許文献１】特開平４−３３７８９９号公報
【発明の開示】
【発明が解決しようとする課題】
【０００３】
しかしながら、前記従来の紙幣処理装置においては、紙幣の処理速度が高速に設定されているために、ジャムが発生しやすかった。前記紙幣処理装置は、それが取り付けられている自動取引装置における顧客一人当たりの処理時間を短縮して運用効率を向上するために、紙幣の処理速度が高速に設定されている。これは、自動取引装置に入金された紙幣又は自動取引装置から出金される紙幣の枚数、すなわち、自動取引装置での取引における紙幣の枚数が多い場合、紙幣処理装置における紙幣の処理速度が自動取引装置全体の取引の処理速度に大きく影響するためである。そこで、従来の紙幣処理装置においては、紙幣の最大処理枚数での処理時間を短縮することができるように、紙幣の処理速度ができるだけ高速になるように設定されている。しかし、紙幣の処理速度を高速に設定すると、搬送されている紙幣が搬送路途中で紙詰まりを起こすジャムが発生しやすくなる。特に、角が折れた紙幣や腰の弱い紙幣の場合には、ジャムが発生しやすくなってしまう。
【０００４】
そして、顧客が自動取引装置を操作して取引を行っている最中にジャムのような障害が発生すると、紙幣処理装置の動作が停止されるので、ジャムが解除されるまで顧客を待たせなければならず、顧客に迷惑がかかってしまう。また、ジャムが発生すると、金融機関の係員は、紙幣処理装置のジャム処理と顧客対応とを行わねばならず、手間がかかり、煩わしく感じてしまう。
【０００５】
一方、自動取引装置での取引における紙幣の枚数が少ない場合、紙幣処理装置における紙幣の処理速度は、自動取引装置全体の取引の処理速度にあまり影響しない。しかし、従来の紙幣処理装置においては、自動取引装置での取引における紙幣の枚数に関わらず紙幣の処理速度が高速に設定されているので、自動取引装置での取引における紙幣の枚数が少ない場合であっても、ジャムが発生しやすくなっていた。そのため、自動取引装置での取引における紙幣の枚数が少ない場合には、紙幣処理装置における紙幣の処理速度が低いことよりも、ジャムが発生することによって生じる待ち時間の方が、顧客に対する影響や金融機関の係員に対する影響が大きくなってしまう。
【０００６】
本発明は、前記従来の媒体処理装置の問題点を解決して、処理すべき媒体の枚数に応じて媒体の処理速度を変化させることによって、媒体の枚数が多い場合には処理時間を短縮することができ、媒体の枚数が少ない場合にはジャムの発生を抑制することによって、短い時間で媒体を処理することができるとともに手間のかからない媒体処理装置を提供することを目的とする。
【課題を解決するための手段】
【０００７】
そのために、本発明の媒体処理装置においては、処理すべき媒体の枚数を検出する媒体枚数検出手段と、該媒体枚数検出手段が検出した媒体の枚数に基づいて媒体処理速度目標値を算出する媒体処理速度算出手段と、該媒体処理速度算出手段が算出した媒体処理速度目標値に基づいて媒体処理速度を制御する速度可変処理速度制御手段とを有し、前記媒体の枚数が多い場合には媒体処理速度を高くし、前記媒体の枚数が少ない場合には媒体処理速度を低くする。
【０００８】
本発明の他の媒体処理装置においては、さらに、前記処理すべき媒体は投入された紙幣であり、前記媒体処理速度は前記紙幣の搬送速度である。
【０００９】
本発明の更に他の媒体処理装置においては、さらに、前記媒体枚数検出手段は投入された紙幣束の厚さを検出することによって、紙幣の枚数を検出する。
【００１０】
本発明の更に他の媒体処理装置においては、さらに、前記投入された紙幣の枚数が多い場合には紙幣の搬送速度を高くして全体の処理時間を短くし、前記投入された紙幣の枚数が少ない場合には紙幣の搬送速度を低くしてジャムの発生を抑制する。
【００１１】
本発明の更に他の媒体処理装置においては、さらに、金融取引を行う自動取引装置に取り付けられ、紙幣の処理を行う。
【発明の効果】
【００１２】
本発明によれば、媒体処理装置は、処理すべき媒体の枚数に応じて媒体の処理速度を変化させるようになっている。そのため、媒体の枚数が多い場合には処理時間を短縮することができ、媒体の枚数が少ない場合にはジャムの発生を抑制することによって、短い時間で媒体を処理することができるとともに手間がかからないようにすることができる。
【発明を実施するための最良の形態】
【００１３】
以下、本発明の実施の形態について図面を参照しながら詳細に説明する。
【００１４】
図２は本発明の実施の形態における紙幣処理装置の構成を示す図である。
【００１５】
図において、１０は銀行、郵便局、信用金庫、消費者金融会社等の金融機関の支店等に配設されたＡＴＭ、ＣＤ等の自動取引装置、両替機、ハイカウンタ、ローカウンタ等の窓口に配設され、テラー等の金融機関の担当者が操作する窓口入出金機等に取り付けられる媒体処理装置としての紙幣処理装置である。なお、該紙幣処理装置１０は、鉄道の駅、バスの停留所、遊園地、ゲームセンタ等の遊技場、映画館等の劇場、博物館、駐車場、レストラン等の食堂、ゴルフ場等のスポーツ施設等に配設された自動券売機に取り付けられていてもよく、紙幣、硬貨、切符、チケット、券、カード、チップ等の媒体を処理する装置であれば、いかなる装置に取り付けられていてもよい。なお、本実施の形態においては、説明の都合上、前記紙幣処理装置１０が金融取引を行う自動取引装置に取り付けられており、前記媒体が紙幣である場合について説明する。
【００１６】
この場合、前記自動取引装置は、銀行、郵便局、信用金庫、消費者金融会社等の金融機関の支店等の営業店、コンビニエンスストア、スーパーマーケット等の商店等に配設されたＡＴＭ、ＣＤ、両替機、キオスク端末等である。そして、前記金融機関の顧客は、自動取引装置を自分で操作して、入金、出金、通帳記帳、残高照会、振り込み、振り替え等の金融取引を行う。そして、前記自動取引装置は、紙幣処理装置１０の他にも、硬貨を取り扱う硬貨処理装置、取引の明細を記載した単票を発行する取引明細票発行装置、キャッシュカード等のカードを挿入するカードスロットを備え、前記カードを取り扱うカード取り扱い装置、預金通帳等の通帳を挿入する通帳スロットを備え、前記通帳を取り扱う通帳取り扱い装置等の各種装置を備えているが、前記紙幣処理装置１０を含む各種装置は、通常、それぞれ、ユニット化されて独立に構成され、自動取引装置本体に対して取り外し可能に取り付けられている。なお、前記自動取引装置は、オンラインネットワーク等のネットワークを介して金融機関の勘定系上位装置としてのホストコンピュータに通信可能に接続され、該ホストコンピュータと通信を行って、金融取引の処理を実行する。
【００１７】
そして、前記紙幣処理装置１０は、図２に示されるように、前記顧客が紙幣の入金及び出金を行う接客部１１、紙幣の真偽や金種を認識する鑑別部１２、紙幣を一時保留する一時保留部１３、紙幣を収納する第１スタッカ１４ａ、第２スタッカ１４ｂ及び第３スタッカ１４ｃ、リジェクトされた紙幣を収納するリジェクト収納部１５、並びに、前記接客部１１、鑑別部１２、一時保留部１３、第１スタッカ１４ａ、第２スタッカ１４ｂ、第３スタッカ１４ｃ及びリジェクト収納部１５を相互に接続し、紙幣を搬送する搬送路１６を有する。なお、前記紙幣処理装置１０が有するスタッカの数は、いくつであってもよく、例えば、一つであっても、四つ以上であってもよいが、ここでは、前記第１スタッカ１４ａ、第２スタッカ１４ｂ及び第３スタッカ１４ｃによってすべてのスタッカを代表するものとする。そして、これ以降、前記第１スタッカ１４ａ、第２スタッカ１４ｂ及び第３スタッカ１４ｃを統合的に説明する場合には、スタッカ１４として説明する。
【００１８】
本実施の形態において、前記紙幣処理装置１０は、千円券、二千円券、五千円券及び一万円券の各金種の紙幣を取り扱うことができるようになっている。そして、接客部１１から入金された紙幣は、搬送路１６を通って鑑別部１２に搬送され、該鑑別部１２によって、真正な紙幣と真正な紙幣以外の紙幣とが区別される、すなわち、紙幣の真偽が鑑別される。また、真正な紙幣の金種も判別される。そして、真正な紙幣以外の紙幣及び金種が判別されなかった紙幣は、搬送路１６を通って搬送されて前記接客部１１に戻され、顧客に返却される。なお、前記搬送路１６には、図示されない搬送ローラ、搬送ベルト等を備える搬送装置が配設され、紙幣を一枚ずつ搬送するようになっている。また、前記搬送路１６には図示されないジャム検出手段としてのセンサが配設され、搬送途中の紙幣の紙詰まり、すなわち、ジャムの発生を検出するようになっている。
【００１９】
一方、真正な紙幣は、一時保留部１３に一時的に保管された後、搬送路１６を通って搬送されて、各金種毎に割り当てられたスタッカ１４に収納される。なお、該スタッカ１４の割り当ては適宜決定することができる。例えば、自動取引装置において入金される枚数が多いと考えられる千円券及び一万円券に大型の第２スタッカ１４ｂ及び第３スタッカ１４ｃをそれぞれ割り当てることができる。また、一般的な自動取引装置において、二千円券及び五千円券は出金されない、すなわち、リサイクルされないので、二千円券及び五千円券に対してスタッカ１４を割り当てることなく、二千円券及び五千円券は、リジェクト収納部１５に収納されるようにすることが望ましい。さらに、千円券はリサイクルされる枚数が多いと考えられるので、第２スタッカ１４ｂに加えて第１スタッカ１４ａも割り当てるようにしてもよい。
【００２０】
また、出金の場合には、各金種毎に割り当てられたスタッカ１４から指定された金種の紙幣がリサイクルされる。この場合、各金種の紙幣が該当するスタッカ１４から一枚ずつ分離されて指定された枚数だけ取り出され、搬送路１６を通って搬送されて、接客部１１から出金される。なお、一枚ずつ分離されずに重送された、すなわち、二重送りされた紙幣は、接客部１１から出金されず、リジェクト収納部１５に搬送されて収納される。
【００２１】
さらに、前記紙幣処理装置１０は、図示されない制御装置を有する。該制御装置は、ＣＰＵ、ＭＰＵ等の演算手段、半導体メモリ、磁気ディスク等の記憶手段、入出力インターフェイス等を備える一種のコンピュータであり、前記紙幣処理装置１０の各部の動作を統括的に制御する。例えば、前記制御装置は、後述される紙幣束厚さ検出手段２１によって接客部１１に投入された紙幣束の厚さが検出されると、検出された紙幣束の厚さに基づいて、搬送装置の搬送ローラ、搬送ベルト等を駆動するモータ等の駆動装置の動作を制御して、紙幣の搬送速度を制御する。また、前記制御装置は、ジャム検出手段によってジャムの発生が検出されると、紙幣処理装置１０の動作を停止させ、前記自動取引装置にジャムの発生を通知する。これにより、自動取引装置はその動作を停止させ、顧客操作部の表示装置にジャム発生通知画面を表示させて、ジャムが発生した旨を顧客に通知する。なお、前記制御装置は他の制御装置と一体的に構成されたものであってもよく、例えば、前記自動取引装置の制御装置の一部であってもよいし、前記自動取引装置の制御装置内に構築された制御システムの一つであってもよい。
【００２２】
次に、前記接客部１１の構成を詳細に説明する。
【００２３】
図３は本発明の実施の形態における紙幣処理装置の接客部の構成を示す図である。
【００２４】
図３に示されるように、接客部１１は、顧客が紙幣を投入する紙幣投入部３５、及び、該紙幣投入部３５の開口を開閉するシャッタ３１を有する。ここで、前記紙幣投入部３５は、固定板３６及び該固定板３６に対して移動可能なプレス板３３を備え、前記固定板３６とプレス板３３との間の空間に顧客が投入して束になった紙幣、すなわち、紙幣束３２が収容されるようになっている。また、前記シャッタ３１及びプレス板３３は、図示されない駆動装置によって駆動され、紙幣束３２が投入されると、シャッタ３１が移動して紙幣投入部３５の開口を閉止し、プレス板３３が固定板３６の方向に移動して紙幣束３２を固定板３６に押し付けるようになっている。
【００２５】
そして、前記プレス板３３の移動に応じてロータリーエンコーダ３４の回転部材が回転し、前記プレス板３３の位置がロータリーエンコーダ３４によって検出されるようになっている。なお、前記プレス板３３の位置を検出することのできるものであれば、前記ロータリーエンコーダ３４に代えて他の形式のセンサを使用することもできる。そして、プレス板３３が前記紙幣束３２を固定板３６に押し付けた状態におけるプレス板３３の位置を検出することによって、前記紙幣束３２の厚さを検出することができる。
【００２６】
次に、前記紙幣処理装置１０の機能構成について説明する。
【００２７】
図１は本発明の実施の形態における紙幣処理装置の機能構成を示すブロック図である。
【００２８】
なお、本実施の形態において、紙幣処理装置１０は、機能の観点から、図１に示されるように、処理すべき媒体の枚数を検出する媒体枚数検出手段としての紙幣束厚さ検出手段２１、媒体処理速度目標値を算出する媒体処理速度算出手段としての搬送速度算出手段２２、及び、媒体処理速度を制御する速度可変処理速度制御手段としての速度可変紙幣搬送制御手段２３とを有する。この場合、前記紙幣束厚さ検出手段２１は、投入された紙幣束３２の厚さを検出することによって、紙幣の枚数を検出する。また、前記搬送速度算出手段２２は、紙幣束厚さ検出手段２１が検出した紙幣の枚数に基づいて媒体処理速度目標値としての紙幣の搬送速度目標値を算出する。さらに、前記速度可変紙幣搬送制御手段２３は、搬送速度算出手段２２が算出した紙幣の搬送速度目標値に基づいて紙幣の搬送速度を制御する。なお、前記プレス板３３及びロータリーエンコーダ３４が紙幣束厚さ検出手段２１に該当し、該紙幣東厚さ検出手段２１が前記紙幣束３２の厚さを検出する。ここで、該紙幣束３２の厚さは紙幣束３２に含まれる紙幣の枚数にほぼ比例すると考えることができるので、紙幣束３２の厚さを検出することによって、顧客によって投入された紙幣の概略枚数を検出することができる。
【００２９】
そして、前記紙幣束厚さ検出手段２１によって検出された紙幣束３２の厚さは、搬送速度算出手段２２に入力される。該搬送速度算出手段２２は、入力された紙幣束３２の厚さに基づき、あらかじめ設定された基準に従って、紙幣の処理速度として、搬送路１６における紙幣の搬送速度を算出する。この場合、前記搬送速度算出手段２２は、紙幣束３２の厚さが厚いとき、すなわち、投入された紙幣の枚数が多いときは、自動取引装置における金融取引全体に占める紙幣を計数する時間が長くなるので、顧客を長時間待たせないようにするために、紙幣の搬送速度が高速になるような搬送速度信号を出力する。一方、紙幣束３２の厚さが薄いとき、すなわち、投入された紙幣の枚数が少ないときは、自動取引装置における金融取引全体に占める紙幣を計数する時間が短いので、搬送路１６においてジャムが発生しにくくなるように、紙幣の搬送速度が低速になるような搬送速度信号を出力する。
【００３０】
また、前記速度可変紙幣搬送制御手段２３は、搬送速度算出手段２２から入力される搬送速度信号に基づいて、搬送装置の搬送ローラ、搬送ベルト等を駆動するモータ等の駆動装置の動作を制御し、紙幣の搬送速度を制御する。これにより、紙幣投入部３５に投入された紙幣の枚数が多いときには紙幣が高速で搬送路１６を搬送され、紙幣投入部３５に投入された紙幣の枚数が少ないときには紙幣が低速で搬送路１６を搬送される。
【００３１】
次に、前記構成の紙幣処理装置１０の動作について説明する。
【００３２】
図４は本発明の実施の形態における紙幣処理装置の接客部の動作を示す図である。
【００３３】
ここでは、顧客が自動取引装置を操作して入金を行う場合の動作について説明する。この場合、前記自動取引装置の顧客操作部におけるタッチパネルから成る表示装置には取引選択画面が表示される。そして、前記顧客は、前記顧客操作部の表示装置に表示されている選択手段としての選択項目の中から、「入金」のキーにタッチして選択する。これにより、入金のためのガイダンス画面が前記顧客操作部の表示装置に表示される。ここで、該表示装置には、顧客のキャッシュカード又は通帳を挿入する旨の指示が表示されるので、顧客は指示に従って、キャッシュカード又は通帳をスロットに挿入する。
【００３４】
すると、接客部１１においてシャッタ３１が作動して紙幣投入部３５の開口を開放し、紙幣の投入を促す旨のメッセージが前記顧客操作部の表示装置に表示される。そして、前記顧客が、図３に示されるように、紙幣を紙幣投入部３５の開口から固定板３６とプレス板３３との間の空間に投入する。そして、図４（ａ）に示されるように、前記シャッタ３１が作動して紙幣投入部３５の開口を閉止する。
【００３５】
続いて、プレス板３３が作動し、固定板３６の方向に移動して、図４（ｂ）に示されるように、前記固定板３６とプレス板３３との間の紙幣束３２をあらかじめ設定された力で固定板３６に押し付ける。このとき、前記プレス板３３の位置は、ロータリーエンコーダ３４によって検出される。そして、前記プレス板３３が紙幣束３２を固定板３６に押し付けて停止したときの、プレス板３３と固定板３６との間の距離が紙幣束３２の厚さとして検出される。このようにして、前記紙幣束厚さ検出手段２１によって、紙幣束３２の厚さが検出される。
【００３６】
そして、検出された紙幣束３２の厚さに基づいて、投入された紙幣の枚数が算出される。ここで、検出された紙幣束３２の厚さをＴ〔ｍｍ〕とすると、既知の値である紙幣一枚当たりの厚さｔ〔ｍｍ〕に基づいて、次の式（１）に示されるように、投入された紙幣の枚数Ｐを算出することができる。
Ｐ＝Ｔ／ｔ  ・・・式（１）
一方、自動取引装置における紙幣の処理時間Ｐｔは、次の式（２）に示されるように、自動取引装置がキャッシュカードを処理するために必要な時間、ホストコンピュータとの通信に必要な時間等の処理される紙幣の枚数によらない一定時間Ｆと、処理される紙幣の枚数に比例する時間Ｖとの合計になる。
Ｐｔ＝Ｆ＋Ｖ  ・・・式（２）
ここで、紙幣一枚当たりの処理時間をＣとすると、投入された紙幣の枚数、すなわち、紙幣の処理枚数がＰであるから、自動取引装置における紙幣の処理時間Ｐｔは次の式（３）で示されるように書き直すことができる。
Ｐｔ＝Ｆ＋Ｃ×Ｐ  ・・・式（３）
通常の自動取引装置において、紙幣の最大処理枚数での紙幣の処理時間Ｐｔは、顧客をいらいらさせることがないように、３０秒程度になるように設計されている。また、紙幣の枚数によらない一定時間Ｆは２０秒程度である。例えば、紙幣の最大処理枚数Ｐｍａｘが１００枚のときに、自動取引装置での金融取引全体における紙幣の処理時間Ｐｔを３０秒と設定するものとする。この場合、紙幣一枚当たりの処理時間Ｃを求めるために、前記式（３）を変形すると、次の式（４）を得る。そして、該式（４）において、Ｐｔ、Ｆ及びＰｍａｘのそれぞれに前記数値を代入すると次の式（５）を得る。
Ｃ＝（Ｐｔ−Ｆ）／Ｐｍａｘ  ・・・式（４）
Ｃ＝（３０−２０）／１００＝１／１０  ・・・式（５）
このことから、紙幣一枚当たりの処理時間を１／１０秒以下にすることで、紙幣の最大取引枚数の場合であっても、顧客をいらいらさせることなく、金融取引を処理することができることが分かる。
【００３７】
一方、紙幣処理装置１０では、紙幣の処理速度が遅い方が紙幣の搬送中に搬送路１６においてジャムが発生しにくくなるので、ジャムの発生を低減するためには、できるだけゆっくりとした紙幣の処理速度が好ましい。そこで、顧客をいらいらさせることがない紙幣の処理時間の最大値をＰｔｍａｘとすると、搬送速度算出手段２２は、次の式（６）に従って、前記紙幣束厚さ検出手段２１が検出した紙幣束３２の厚さＴから、紙幣の搬送速度としての紙幣の処理速度Ｄを算出する。
Ｄ＝（Ｐｔｍａｘ−Ｆ）／（Ｔ／ｔ）  ・・・式（６）
続いて、算出された処理速度Ｄに対応する搬送速度信号が、前記紙幣束厚さ検出手段２１から速度可変紙幣搬送制御手段２３に送信される。そして、該速度可変紙幣搬送制御手段２３は、受信した搬送速度信号に基づいて、搬送装置を制御して、前記処理速度Ｄで紙幣を搬送させる。これにより、紙幣投入部３５に投入された紙幣が、接客部１１から前記処理速度Ｄで一枚ずつ繰り出され、搬送路１６を通って、鑑別部１２に前記処理速度Ｄで搬送される。
【００３８】
そして、前記鑑別部１２では紙幣の真偽が鑑別され、真正な紙幣の金種が判別される。そして、金種が判別された紙幣は一時保留部１３に一時的に保管され、真正な紙幣以外の紙幣及び金種が判別されなかった紙幣は接客部１１に戻されて、顧客に返却される。なお、該顧客が返却された紙幣を紙幣投入部３５に再投入した場合、再投入された紙幣は、再び鑑別部１２に搬送され、真偽が鑑別され、金種が判別される。そして、金種が判別された紙幣は一時保留部１３に保管される。続いて、自動取引装置の顧客操作部における表示装置に入金されて金額が表示される。そして、顧客が入金された金額の確認を行うと、一時保留部１３に保管された紙幣は、搬送路１６を通って搬送され、各金種毎にあらかじめ割り当てられたスタッカ１４に収納される。
【００３９】
このように、本実施の形態において、紙幣束厚さ検出手段２１は、紙幣束３２の厚さを検出することによって、顧客が紙幣投入部３５に投入した紙幣の枚数を検出し、搬送速度算出手段２２は、検出された紙幣の枚数に基づいて最適な紙幣の搬送速度を算出して搬送速度信号を出力し、速度可変紙幣搬送制御手段２３は、搬送速度信号に基づいて紙幣の搬送速度を制御する。そのため、投入された紙幣の枚数が多いときは、紙幣の搬送速度が高速になるようにして、顧客を長時間待たせないようにすることができ、投入された紙幣の枚数が少ないときは、紙幣の搬送速度が低速になるようにして、ジャムの発生を抑制することができる。
【００４０】
また、本実施の形態においては、紙幣束３２の厚さを検出するためにロータリーエンコーダ３４を用いて、紙幣束３２の厚さを連続量として検出し、搬送速度算出手段２２が処理速度Ｄを連続量として算出する場合について説明したが、ロータリーエンコーダ３４の代わりにホトインタラプタ等の位置検出スイッチによって紙幣束３２の厚さを検出することもできる。この場合、該紙幣束３２の厚さが、規定値よりも厚いか薄いかのいずれであるかを検出することによって、二段階の処理速度Ｄを算出し、二段階の速度となるように紙幣の搬送速度を制御することになるが、二段階の速度制御であっても、一定のジャム低減効果を得ることが可能である。
【００４１】
なお、本発明は前記実施の形態に限定されるものではなく、本発明の趣旨に基づいて種々変形させることが可能であり、それらを本発明の範囲から排除するものではない。
【図面の簡単な説明】
【００４２】
【図１】本発明の実施の形態における紙幣処理装置の機能構成を示すブロック図である。
【図２】本発明の実施の形態における紙幣処理装置の構成を示す図である。
【図３】本発明の実施の形態における紙幣処理装置の接客部の構成を示す図である。
【図４】本発明の実施の形態における紙幣処理装置の接客部の動作を示す図である。
【符号の説明】
【００４３】
１０    紙幣処理装置
２１    紙幣束厚さ検出手段
２２    搬送速度算出手段
２３    速度可変紙幣搬送制御手段
３２    紙幣束
【図１】
2005215882.tif 000003
【図２】
2005215882.tif 000004
【図３】
2005215882.tif 000005
【図４】
2005215882.tif 000006